(57)【特許請求の範囲】
【請求項１】
電気光学的に情報を表示する平面型の表示装置と、この表示装置の下側に配置された回路基板と、この回路基板の下側に配置されたアンテナとを備え、
前記回路基板の上面には前記表示装置に駆動信号を供給するための出力端子が形成されており、
前記回路基板の下面には前記アンテナのコイルと前記出力端子に対応してシールド電極が形成されていることを特徴とする電子機器。
【請求項２】
前記出力端子は前記回路基板の上面における外周端部に設けられており、前記シールド電極は、前記回路基板の下面における外周端部に前記出力端子と対応して設けられていることを特徴とする請求項１に記載の電子機器。
【請求項３】
前記アンテナは、前記回路基板を挟んで前記表示装置に重なっていることを特徴とする請求項１または請求項２に記載の電子機器。
【発明の詳細な説明】
【技術分野】
【０００１】
この発明は、電子腕時計などの電子時計や携帯電話機などの電子機器に関し、更に詳しくは表示装置およびアンテナを備えた電子機器に関する。
【背景技術】
【０００２】
従来、電子腕時計などの電子機器においては、特許文献１に記載されているように、電気光学的に情報を表示する平面型の表示装置と、この表示装置に下側に配置されて表示装置に駆動信号を供給する回路基板と、表示装置の側方に位置した状態で回路基板の上面に配置されたアンテナとを備えた構成のものが知られている。
【先行技術文献】
【特許文献】
【０００３】
【特許文献１】特開２００７−１８７５０４号公報
【発明の概要】
【発明が解決しようとする課題】
【０００４】
しかしながら、このような従来の電子機器では、回路基板の上面に表示装置とアンテナとを平面的に配置した構成であるから、機器全体の薄型化を図ることができても、表示装置に供給される駆動信号によるノイズの影響をアンテナが受けないように、表示装置とアンテナとの間隔を十分に確保する必要があり、このため表示装置の大きさがアンテナによって制約を受け、表示領域の広さを十分に確保することができないという問題がある。
【０００５】
この発明が解決しようとする課題は、アンテナと表示装置とが相互に影響を受けずに、表示装置の表示面積を十分に広くすることができる電子機器を提供することである。
【課題を解決するための手段】
【０００６】
この発明は、上記課題を解決するために、次のような構成要素を備えている。
請求項１に記載の発明は、電気光学的に情報を表示する平面型の表示装置と、この表示装置の下側に配置された回路基板と、この回路基板の下側に配置されたアンテナとを備え、前記回路基板の上面には前記表示装置に駆動信号を供給するための出力端子が形成されており、前記回路基板の下面には前記アンテナのコイルと前記出力端子に対応してシールド電極が形成されていることを特徴とする電子機器である。
【発明の効果】
【０００９】
この発明によれば、回路基板の出力端子から表示装置に駆動信号が供給される際に、その駆動信号によるノイズを回路基板のシールド電極によってシールドすることができる。このため、アンテナが駆動信号によるノイズの影響を受けないようにすることができる。また、表示装置がアンテナによって制約を受けることがないので、表示装置の表示面積を十分に広くすることができる。
【図面の簡単な説明】
【００１０】
【図１】この発明を電子腕時計に適用した実施形態１における要部を示した拡大断面図である。
【図２】図１に示された電子腕時計の要部において、表示装置とアンテナとの配置関係を示した拡大平面図である。
【図３】図１に示された電子腕時計の時計モジュールにおける回路基板の上面を示した拡大平面図である。
【図４】図３に示された回路基板の下面を示した拡大裏面図である。
【図５】この発明を電子腕時計に適用した実施形態２における要部を示した拡大断面図である。
【図６】図５に示された電子腕時計の要部において、表示装置とアンテナとの配置関係を示した拡大平面図である。
【発明を実施するための形態】
【００１１】
（実施形態１）
以下、図１〜図４を参照して、この発明を電子腕時計に適用した実施形態１について説明する。
この電子腕時計は、図１に示すように、腕時計ケース１を備えている。この腕時計ケース１は、ケース本体２と、このケース本体２の上部外周に設けられたベゼル３とで構成されている。
【００１２】
この腕時計ケース１の上部、つまりベゼル３の上部には、図１に示すように、時計ガラス４がパッキン４ａを介して取り付けられている。また、この腕時計ケース１の下部、つまりケース本体２の下部には、裏蓋５が防水リング５ａを介して取り付けられている。さらに、この腕時計ケース１の内部には、時計モジュール６が設けられている。
【００１３】
この時計モジュール６は、図１に示すように、上部ハウジング７と下部ハウジング８とを備えている。この上部ハウジング７と下部ハウジング８との間には、回路基板１０が設けられている。この上部ハウジング７の上面には、文字板１１が配置されており、この文字板１１の上面には、ソーラーパネル１２が配置されている。
【００１４】
また、下部ハウジング８の下面には、押えリング１３が配置されている。これにより、時計モジュール６は、ソーラーパネル１２の周縁部が腕時計ケース１の内面に設けられた見切り部１ａに押し付けられた状態で、下部ハウジング８が押えリング１３によって押し上げられることにより、腕時計ケース１内に組み込まれている。
【００１５】
また、この時計モジュール６は、図１に示すように、時刻などの情報を表示する表示装置１４、および電波を送受信するアンテナ１５を更に備えている。表示装置１４は、表示パネル１６とバックライトパネル１７とを備え、上部ハウジング７内に配置されている。表示パネル１６は、液晶表示素子やＥＬ（エレクトロルミネッセンス）表示素子などの平面型の表示素子からなり、時刻などの情報を電気光学的に表示するように構成されている。
【００１６】
この表示パネル１６は、図１に示すように、インターコネクタ１８によって回路基板１０と電気的に接続された状態で、回路基板１０の上方に保持されている。バックライドパネル１７は、ＥＬ（エレクトロルミネッセンス）素子などの平面型の発光素子からなり、表示パネル１６の下面に光を照射させて表示パネル１６を照明するように構成されている。このバックライトパネル１７は、表示パネル１６の下側に位置した状態で、回路基板１０上に配置されている。
【００１７】
アンテナ１５は、図１に示すように、コア２０とコイル部２１とからなり、回路基板１０の下面に配置された状態で、下部ハウジング７内に設けられている。この場合、コア２０は、アモルファスなどの磁性材からなり、図１に示すように、断面が縦方向（図１では上下方向）に長い長方形をなす角棒状に形成されている。
【００１８】
コイル部２１は、図１に示すように、コア２０に導線を巻き付けたものであり、図４に示すように、回路基板１０の下面に設けられた接続電極２２に電気的に接続されている。これにより、アンテナ１５は、図１に示すように、コア２０の断面が縦方向（図１では上下方向）に長い縦向き状態で、回路基板１０の下面に配置されている。
【００１９】
ところで、回路基板１０は、図３および図４に示すように、全体がほぼ円形状に形成されている。この回路基板１０の上面には、図３に示すように、ＬＳＩ（大規模集積回路）などの半導体素子やコンデンサーなどの電子部品２３が設けられている。また、この回路基板１０の上面における上辺側と下辺側、つまり１２時側と６時側とに位置する箇所には、表示装置１４の表示パネル１６に駆動信号を供給するための出力端子２４、２５がそれぞれパターン形成されている。
【００２０】
また、この回路基板１０の下面には、図４に示すように、水晶振動子やコンデンサーなどの電子部品２７が設けられている。この回路基板１０の下面における上辺側つまり１２時側に位置する箇所には、シールド電極２６がアンテナ１５に対応してパターン形成されている。このシールド電極２６は、グランド電極であり、図３および図４に示すように、回路基板１０の上面に設けられた出力端子２４、２５のうち、１２時側に位置する出力端子２４に対応して設けられている。
【００２１】
これにより、アンテナ１５は、図１および図２に示すように、回路基板１０の下面に形成されたシールド電極２６の下側に縦向き状態で配置されている。また、表示装置１４の表示パネル１６に駆動信号を出力する出力端子２４、２５のうち、１２時側に位置する出力端子２４は、回路基板１０の上面にアンテナ１５と対応して設けられ、インターコネクタ１８によって表示パネル１６と電気的に接続されるように構成されている。
【００２２】
このような電子腕時計によれば、電気光学的に情報を表示する平面型の表示装置１４と、この表示装置１４の下側に配置された回路基板１０と、この回路基板１０の下側に配置されたアンテナ１５とを備え、回路基板１０の上面に、表示装置１４に駆動信号を供給するための出力端子２４を形成し、この回路基板１０の下面に、シールド電極２６をアンテナ１５に対向させて形成したので、アンテナ１５と表示装置１４とが相互に影響を受けずに、表示装置１４の表示面積を十分に広くすることができる。
【００２３】
すなわち、この電子腕時計では、回路基板１０の出力端子２４から表示装置１４に駆動信号が供給されている際に、その駆動信号によるノイズを回路基板１０のシールド電極２６によってシールドすることができ、これによりアンテナ１５が駆動信号によるノイズの影響を受けないようにすることができる。このため、表示装置１４の表示パネル１６が情報を表示していても、アンテナ１５によって電波を正確に且つ良好に送受信することができる。
【００２４】
また、この電子腕時計では、表示装置１４が回路基板１０の上面に配置され、アンテナ１５が回路基板１０の下面に配置されているので、表示装置１４がアンテナ１５によって制約を受けることがない。このため、回路基板１０の上面において表示装置１４の大きさを自由に設定することができると共に、表示装置１４の表示パネル１６の表示面積を十分に広くすることができ、これにより表示パネル１６の表示領域１６ａを広くすることができる。
【００２５】
すなわち、表示装置１４の表示パネル１６は、図１および図２に示すように、アンテナ１５が配置された箇所における回路基板１０の上方に位置する１２時側の箇所に、表示パネル１６の端部を位置させた状態で配置することができ、これにより表示パネル１６の表示領域１６ａをアンテナ１５に対応する箇所に最も接近させることができるので、表示パネル１６の表示領域１６ａを十分に広くすることができる。
【００２６】
この場合、表示装置１４に駆動信号を供給するための出力端子２４は、回路基板１０の上面における外周端部に設けられていることにより、出力端子２４が邪魔にならずに、回路基板１０の上面にＬＳＩ（大規模集積回路）などの半導体素子やコンデンサーなどの電子部品２３を効率良く設けることができる。
【００２７】
また、グランド電極であるシールド電極２６は、回路基板１０の下面における外周端部に出力端子２４と対応して設けられていることにより、シールド電極２６およびこれに対応するアンテナ１５が邪魔にならずに、回路基板１０の下面に水晶振動子やコンデンサーなどの電子部品２７を効率良く設けることができる。
【００２８】
この場合、アンテナ１５は、１２時側に位置する箇所に配置されていることにより、回路基板１０の上下面に設けられた各種の電子部品２３、２７によるノイズの影響を受け難くすることができると共に、使用者が腕時計ケース１を腕に取り付けて使用する際に、その使用者の人体による影響を受けずに、電波を効率よく送受信することができる。
【００２９】
また、この電子腕時計では、アンテナが回路基板１０を挟んで表示装置１４に重なっていることにより、表示装置１４の表示パネル１６の表示領域１６ａを十分に広くすることができると共に、時計モジュール６をコンパクトに構成することができ、これにより腕時計全体の小型化を図ることができる。
【００３０】
（実施形態２）
次に、図５および図６を参照して、この発明を電子腕時計に適用した実施形態２について説明する。なお、図１〜図４に示された実施形態１と同一部分には同一符号を付して説明する。
この電子腕時計は、図５に示すように、アンテナ３０が実施形態１と異なる構成であり、これ以外は実施形態１とほぼ同じ構成になっている。
【００３１】
すなわち、このアンテナ３０は、図５に示すように、コア３１とコイル部３２とからなり、回路基板１０の下面に配置された状態で、下部ハウジング７内に設けられている。この場合にも、コア３１は、実施形態１と同様、アモルファスなどの磁性材からなり、図５に示すように、断面が横方向（図５では左右方向）に長い長方形をなす角棒状に形成されている。
【００３２】
コイル部３２は、実施形態１と同様、コア３１に導線を巻き付けたものであり、図６に示すように、回路基板１０の下面に設けられた接続電極２２に電気的に接続されている。これにより、アンテナ３０は、図５に示すように、コア３１の断面が横方向（図５では左右方向）に長い横向き状態で、回路基板１０の下面に配置されている。
【００３３】
この場合にも、アンテナ３０は、図５および図６に示すように、回路基板１０の下面に形成されたシールド電極２６の下側に配置されている。このシールド電極２６は、実施形態１と同様、回路基板１０の上面に形成された出力端子２４、２５のうち、１２時側に位置する出力端子２４に対応した状態で、回路基板１０の下面に形成されている。
【００３４】
このような電子腕時計によれば、実施形態１と同様の作用効果があるほか、アンテナ３０のコア３１の断面が横方向に長い長方形に形成され、このアンテナ３０のコア３１が回路基板１０の下面に横向き状態で配置されていることにより、アンテナ３０の上下方向の厚みを薄くすることができ、これにより時計モジュール６の厚みを薄くすることができるので、腕時計全体の薄型化を図ることができる。
【００３５】
なお、上記実施形態１、２では、電子腕時計に適用した場合について述べたが、必ずしも電子腕時計である必要はなく、例えばトラベルウオッチ、目覚まし時計、置き時計、掛け時計などの各種の電子時計にも適用することができるほか、必ずしも電子時計に適用する必要はなく、例えば携帯電話機などの電子機器にも広く適用することができる。
【符号の説明】
【００３６】
１  腕時計ケース
６  時計モジュール
１０  回路基板
１４  表示装置
１５、３０  アンテナ
１６  表示パネル
１７  バックライトパネル
２０、３１  コア
２１、３２  コイル部
２４、２５  出力端子
２６  シールド電極
【図１】
0005428082.tif 000002
【図２】
0005428082.tif 000003
【図３】
0005428082.tif 000004
【図４】
0005428082.tif 000005
【図５】
0005428082.tif 000006
【図６】
0005428082.tif 000007